(57)【要約】要約課題従来のメカボックスを変更することなく弾丸がカラになった場合にモータの回転を停止することができるカラ撃ち防止装置を提供する。解決手段トリガを引いてモータへ通電するために接触させる接点と直列に配置されたスイッチと、弾丸がカラになったことを検知する弾丸検知装置の動作をうけて、前記スイッチを切断して、モータへの通電を阻止する通電停止部と、を有するカラ撃ち防止装置である。選択図            図１
2019058525.tif 000002
【特許請求の範囲】
【請求項１】
トリガを引いてモータへ通電するために接触させる接点と直列に配置されたスイッチと、
弾丸がカラになったことを検知する弾丸検知装置の動作をうけて、前記スイッチを切断して、モータへの通電を阻止する通電停止部と、を有するカラ撃ち防止装置。
【請求項２】
前記通電停止部は、弾丸がカラになったことを検知する弾丸検知装置の動作をうける検知受け部と、
前記モータによって駆動するピストンの動きに連動するピストン連動部と、
前記スイッチの接点を引き離すためのスイッチ切断部と、を有し、
前記検知受け部が、前記ピストン連動部と係合することによって、前記ピストン連動部が前記スイッチ切断部を作動させ、そのスイッチ切断部が前記スイッチを切断する請求項１記載のカラ撃ち防止装置。
【請求項３】
トリガを引いてモータへ通電するために接触させる前記接点を筐体の内部に有し、前記スイッチと前記通電停止部と、を共に前記筐体の外部に有する請求項１または請求項２に記載のカラ撃ち防止装置。
【請求項４】
請求項１から３いずれか１項に記載のカラ撃ち防止装置を有する電動ガン。
【発明の詳細な説明】
【技術分野】
【０００１】
本発明は、電動ガンにおけるカラ撃ち防止装置に関するものである。
【背景技術】
【０００２】
いわゆる電動ガンはモータの回転を利用して、シリンダ内のピストンを駆動し、そのピストンの駆動力によって、そのシリンダ内の空気を噴射して弾丸を発射するものであり、トリガは、モータを駆動するための電気スイッチを入れるためのものである。【０００３】
従って、トリガを引き続けている間は、電気スイッチが入りの状態を継続しているためにモータが駆動しつづける。よって、ピストン運動が止まることはなく、弾倉内に弾丸が、無くなった状態であっても、シリンダ内の空気を噴射し続け、いわゆるカラ撃ちを続けるというものである。【０００４】
そこで、本出願人が出願した特開２０１０−２５５０１号において、電動銃における機械式通電停止装置が開示されている。上記装置は、銃腔後部の装弾部に通じる給弾経路に弾丸がないときには、弾丸を発射させる駆動部の回路を遮断して通電を停止するための装置として、給弾経路に移動可能に配置されかつ装弾部へ弾丸を送るために付勢された玉押し部材と、玉押し部材側の一部と一端部にて係合しその移動と連動するフォロワー部材と、フォロワー部材の動きに伴い通電時の位置から遮断時の位置へ移動可能でありかつ遮断時の位置への移動の過程においてタペット部材と係合し、タペット部材の移動に伴いスイッチをオフにするカットオフ部材と、駆動部のピストンの移動に伴い後退して装弾部に通じる給弾経路の給弾口を開く部分を有しかつその給弾口を閉じる方向への付勢力により上記カットオフ部材を移動させる上記のタペット部材と、カットオフ部材との係合により移動して接点が開き、リセット操作により接点を閉じる上記のスイッチとを備えて構成するというものである。【０００５】
しかしながら、上記電動ガンにおけるシリンダと、ピストンと、それを駆動する歯車等の機関部は所定の筐体に配置されそれらはユニット化されている。それらをメカボックスと称するが、そのユニット化されたメカボックス内に上記装置を組み込む必要がある。【０００６】
また、従来のメカボックスには上記装置を組み込むスペースが無いために、そのメカボックス自体を新規に製造しなければならない。また、新規に製造しようとしても電動ガンの種類によっては、そのメカボックスに上記装置を組み入れるだけのスペースが無い場合があり、すべてのメカボックスに上記機械式通電停止装置を適用することは現実的ではない。
【先行技術文献】
【特許文献】
【０００７】
【特許文献１】特開２０１０−２５５０１号公報
【発明の概要】
【発明が解決しようとする課題】
【０００８】
本発明は前記の点に着目してなされたもので、その課題は、従来のメカボックスを変更することなく弾丸がカラになった場合にモータの回転を停止することができるカラ撃ち防止装置を提供することを目的とする。
【課題を解決するための手段】
【０００９】
第１観点におけるカラ撃ち防止装置は、トリガを引いてモータへ通電するために接触させる接点と直列に配置されたスイッチと、弾丸がカラになったことを検知する弾丸検知装置の動作をうけて、前記スイッチを切断して、モータへの通電を阻止する通電停止部と、を有するものである。なお、スイッチを切断するとは、スイッチを切ることであり、通電しないということである。以下同様である。【００１０】
第２観点におけるカラ撃ち防止装置は、第１観点において、通電停止部は、弾丸がカラになったことを検知する弾丸検知装置の動作をうける検知受け部と、前記モータによって駆動するピストンの動きに連動するピストン連動部と、スイッチの接点を引き離すためのスイッチ切断部と、を有し、検知受け部が、ピストン連動部と係合することによって、ピストン連動部がスイッチ切断部を作動させ、そのスイッチ切断部がスイッチを切断するというものである。【００１１】
第３観点におけるカラ撃ち防止装置は、第１観点または第２観点において、トリガを引いてモータへ通電するために接触させる前記接点を筐体の内部に有し、スイッチと通電停止部と、を共に前記筐体の外部に有するというものである。【００１２】
第４観点における電動ガンは、第１観点から第３観点のカラ撃ち防止装置を有するというものである。
【発明の効果】
【００１３】
本発明によれば、従来のメカボックスを変更することなく弾丸がカラになった場合にモータの回転を停止することができるカラ撃ち防止装置を提供することができる。
【図面の簡単な説明】
【００１４】
【図１】銃口を左に向けた状態の電動ガンの側面図である。
【図２】銃口を右に向けた状態の電動ガンの側面図である。
【図３】弾倉内に複数の弾丸を有する場合の弾倉部の左側面図である。
【図４】弾倉内において弾丸が、カラになった状態の弾倉部の左側面図である。
【図５Ａ】弾倉内において弾丸がカラになり、カラ打ち防止機能停止装置を、−ｘ方向に移動した状態の弾倉部の左側面図である。
【図５Ｂ】図５Ａの右側面図である。
【図６】銃口を左に向けた状態の電動ガンの側面図である。
【図７Ａ】図６の拡大図である。
【図７Ｂ】図７Ａの概念図である。
【図８Ａ】図６の拡大底面図である。
【図８Ｂ】図８Ａの概念図である。
【図９】銃口を右に向けた状態の電動ガンの拡大側面図である。
【図１０Ａ】モータへの通電が阻止された状態における銃口を左に向けた電動ガンの拡大底面図である。
【図１０Ｂ】図１０Ａの概念図である。
【図１１】モータへの通電が阻止された状態における銃口を右に向けた電動ガンの側面図である。
【図１２】モータへ、再び通電された状態における銃口を右に向けた電動ガンの側面図である。
【図１３】モータへ、再び通電された状態における銃口を左に向けた電動ガンの拡大底面図である。
【発明を実施するための形態】
【００１５】
本実施例におけるカラ撃ち防止装置２００を有する電動ガン１０について説明する。電動ガン１０は、後述するトリガ２０を引いたときに接触して通電する第１接点２１とは別に、後述するメカボックスにおける筐体１６の外部にスイッチ２０１を設け、弾倉部５００内の弾丸Ｇが空になったときに、いわゆるカラ撃ちを防止するために、通電停止部２０２を配置し、この通電停止部２０２が、このスイッチ２０１を切断するというものである（図１、２参照）。
【００１６】
この第１接点２１とスイッチ２０１は、配線Ｓによって直列に接続されており、これらの第１接点２１とスイッチ２０１のいずれも通電したときに、弾丸Ｇが発射され、弾丸Ｇが無くなった場合にこの通電停止部２０２がスイッチ２０１の通電を絶つか、引いていたトリガ２０を戻すかのいずれか一方または双方により、カラ撃ちを防止することができるというものである（図１、２参照）。
【００１７】
まず、電動ガン１０における弾丸Ｇを発射するための機関部１５の構造について説明する。機関部１５は、筐体１６内に配置されている。また、機関部１５は、トリガ２０と、第１接点２１と、モータ２２と、モータギア２３とベベルギア２４と、ギア２５とセクタギア２６と、ピストン３０と、そのピストン３０が有するラック部３１と、そのピストン３０を−ｘ方向に付勢するスプリング３２を有する。ここで、機関部１５を有する筐体１６をメカボックスということがある。
【００１８】
図示しない使用者が、トリガ２０を引くと、第１接点２１が接し、バッテリー１００からの電気がモータ２２に流れ、それによってモータ２２が回転する。その回転によってそのモータ２２の出力軸に配置されたモータギア２３が回転し、そのモータギア２３とかみ合うベベルギア２４が回転し、そのベベルギア２４とかみ合うギア２５が回転し、そのギア２５とかみ合うセクタギア２６が回転する。
【００１９】
セクタギア２６は、ピストン３０におけるラック部３１とかみ合うことでそのピストン３０は、＋ｘ方向に移動する。それに伴い、そのピストン３０は、スプリング３２を圧縮する。
【００２０】
セクタギア２６は、歯車の歯を一部に有しない無歯部を有しているために、そのセクタギア２６における無歯部が、ラック部３１と対向する位置に回転すると、そのラック部３１と、セクタギア２６との係合がはずれ、スプリング３２が自然長に回復する力によってシリンダ４０内に配置されたピストン３０が急速に−ｘ方向に移動し、シリンダ４０内の空気を、ノズル３３の先端にあらかじめ配置されている弾丸Ｇに噴射して、その空気でその弾丸Ｇを発射するというものである。
【００２１】
また、この電動ガン１０は、実銃において発生する弾丸発射時における反作用によって生じる衝撃を擬似的に再現するためのいわゆるリコイルショックを発生させるためにリコイルショック発生機構５０を具備している。よって、これについても説明する。リコイルショック発生機構５０は、ピストン３０におけるピストン係合部５１と、そのピストン係合部５１と係合するリコイルウエイト５２とを有し、リコイルウエイト５２はリコイルスプリング５３によって、−ｘ方向に付勢されている。なお、リコイルウエイト５２は衝撃を擬似的に再現するために所定の質量を有することが好ましい。
【００２２】
上記のとおり、シリンダ４０内に配置されたピストン３０が急速に−ｘ方向に移動し、シリンダ４０内の空気を、ノズル３３の先端にあらかじめ配置されている弾丸Ｇに噴射して、その空気でその弾丸Ｇを発射する。そのときに、ピストン３０におけるピストン係合部５１とそのピストン係合部５１と係合するリコイルウエイト５２が、蓄圧されたリコイルスプリング５３が自然長に回復する力によって、ピストン３０と同様に急速に−ｘ方向に移動し、そのリコイルウエイト５２が先端部５４と衝突して衝撃を発生させ、いわゆるリコイルショックを得る。
【００２３】
その後再びピストン３０が、＋ｘ方向に移動するのに伴い、そのピストン３０におけるピストン係合部５１と係合するリコイルウエイト５２も＋ｘ方向に移動し、リコイルスプリング５３を蓄圧する。
【００２４】
その後再び、上記と同様にシリンダ４０内に配置されたピストン３０が急速に−ｘ方向に移動し、蓄圧されたリコイルスプリング５３が自然長に回復する力によって再びリコイルショックを得る。このように、トリガ２０を引いたときに、弾丸Ｇを発射するたびにいわゆるリコイルショックを得る。また、そのリコイルウエイト５２に連結されているリコイルバー６０を有する。また、電動ガン１０はこのリコイルウエイト５２と、リコイルバー６０とそのリコイルバー６０に連結されているリコイルプレート６１とを有し、それら、リコイルウエイト５２と、リコイルバー６０とリコイルプレート６１と、をピストン連動部２５０と称することがある。ピストン連動部２５０は文字通りピストン３０の動きに連動するものであり、弾丸Ｇの発射に応じて、−ｘ方向及び＋ｘ方向に往復運動をするものである。
【００２５】
上記のとおり、本実施例における、カラ撃ち防止装置２００は、第１接点２１と配線Ｓによって直列に接続されているその第１接点２１とは別のスイッチ２０１を上記のとおりメカボックスにおける筐体１６の外部に有し、弾丸Ｇが撃ち終わり、弾倉部５００に弾丸Ｇがなくなったことを、弾丸検知装置３００が検知し、通電停止部２０２におけるスイッチ切断部２７０によって、スイッチ２０１を切断することでモータ２２の通電を遮断するというものであり、スイッチ切断部２７０は、ピストン３０の動きによって駆動するピストン連動部２５０によって切断されるというものである。従って、上記のとおり、トリガ２０を引いて、第１接点２１が接したままであっても、その第１接点２１と直列に接続されているスイッチ２０１が切断されることで、カラ撃ちが防止できるというものである。
【００２６】
そこで、弾倉部５００に弾丸Ｇがなくなったことを検知する弾丸検知装置３００について説明する。弾丸検知装置３００は弾倉部５００に配置されている。ここでまず弾倉部５００の構成について説明し、その上で弾丸検知装置３００について説明する。
【００２７】
弾倉部５００は、弾倉本体部５０１を有し、それは、いわゆる弾丸Ｇを電動ガン１０に供給するマガジンとしての外郭を構成するものである。また、弾丸配置部５０２は、複数の弾丸Ｇを配置し、電動ガン１０の内部にその弾丸Ｇを送り込むための通路となるものであって、弾丸Ｇの幅にその弾丸配置部５０２の幅が設定されている。弾丸配置部５０２においては、複数の弾丸Ｇを開口部５０３方向（＋ｙ方向）へ押し上げるためのマガジンスプリング５０５と、そのマガジンスプリング５０５に付勢されたフォロワー部５１０と、を有する。
【００２８】
従って、フォロワー部５１０は、マガジンスプリング５０５に付勢された第１フォロワー５１１と、その第１フォロワー５１１に付勢された第２フォロワー５１２と、その第２フォロワー５１２に付勢された第３フォロワー５１３と、を有し、上述のとおり弾丸Ｇは常に開口部５０３の方向（＋ｙ方向）に付勢されている。すなわち、マガジンスプリング５０５は、フォロワー部５１０における第１フォロワー５１１を押圧している。また、第２フォロワー５１２と、第１フォロワー５１１とは、いずれかに軸部を有し、他方に軸受け部を有しそれらが嵌合して接続されている。従って、弾丸配置部５０２が、仮に曲線状であった場合にその曲線状に追従できるように、折り曲げ可能にその第２フォロワー５１２と、第１フォロワー５１１と、が接続されている。また、第３フォロワー５１３は、第２フォロワー５１２に接することで、その第２フォロワー５１２によって、押圧されている。
【００２９】
なお、マガジンスプリング５０５の下端部５０５ａは、弾丸配置部５０２の端部５０２ａに配置され、マガジンスプリング５０５のスプリング上端部５０５ｂは、フォロワー部５１０における第１フォロワー５１１に接続されている。また、電動ガン１０から弾倉部５００を外した際に（図示せず）、弾丸Ｇの飛び出しを防止するために、弾丸係止部５１５が配置され、弾丸係止スプリング５１６によって、＋ｘ方向に付勢されている。
【００３０】
すなわち、上記構成のこのような弾倉部５００に弾丸Ｇを複数詰め込めると、その複数の弾丸Ｇによって、マガジンスプリング５０５が圧縮され、弾丸係止スプリング５１６によって、＋ｘ方向に付勢されている弾丸係止部５１５によって、複数の弾丸Ｇの最も上方に配置されている弾丸Ｇの飛び出しが防止され、それら複数の弾丸Ｇがその弾倉部５００内に配置される。また、弾丸係止部５１５は、弾倉５００を電動ガン１０にセットした際に、チャンバー３４（図１参照）によって、その弾丸係止部５１５が、−ｘ方向に押圧され、その弾丸係止部５１５と、弾丸Ｇとの係合が解除される。これにより弾丸Ｇが、電動ガン１０に装填される。なお、図３、４、５Ａにおいて弾丸係止部５１５は、弾丸Ｇとの係合が解除された状態である。
【００３１】
本実施例において、弾丸検知装置３００は弾倉部５００に配置され、フォロワー部５１０における第１フォロワー５１１に配置されている検知係合部３０１と、その検知係合部３０１の上昇を受けて回転する検知回転部３１０を有する。
【００３２】
検知回転部３１０は、検知被係合部３１１と、その検知被係合部３１１とほぼ９０度の角度で配置された、検知押し出し部３１２と、検知軸部３１３と、その検知押し出し部３１２と検知軸部３１３との間に配置された薄板状で三角形状の第１本体部３３０を有する。検知被係合部３１１と、検知押し出し部３１２と、検知軸部３１３と、第１本体部３３０と、は一体であり、それらは検知回転部３１０を構成している。また、検知回転部３１０は、検知軸部３１３を軸として揺動するように回転する（図３参照）。
【００３３】
弾倉部５００内に配置された弾丸Ｇがすべて撃ち終わると、弾倉部５００内に配置された弾丸Ｇが無くなり、マガジンスプリング５０５が、その弾丸配置部５０２の長さより十分に長い自然長に回復しようとして、フォロワー部５１０における第１フォロワー５１１を開口部５０３方向に押し上げる。
【００３４】
それと共に、マガジンスプリング５０５のスプリング上端部５０５ｂに接続されている第１フォロワー５１１が上昇し、第１フォロワー５１１に配置されている検知係合部３０１が、検知回転部３１０における検知被係合部３１１を反時計回りに回転させ、その検知被係合部３１１と一体の検知押し出し部３１２を反時計回りに回転させ、弾倉部５００内から飛び出すように突出させる。このように弾倉部５００内に配置された弾丸Ｇがすべて撃ち出されると、検知押し出し部３１２を弾倉部５００内から突出させることで弾丸Ｇがカラになったことを検知するものである（図４参照）。その場合に開口部５０３から、第３フォロワー５１３の上端部５１３ａが突出する状態である。本実施例においては、検知押し出し部３１２を弾倉部５００内から飛び出すように突出させようとする位置は、メカボックスにおける筐体１６とは弾丸配置部５０２に対し、反対の位置（−ｘ方向である）である（図１参照）。すなわち、メカボックスにおける筐体１６の位置は、弾丸配置部５０２に対しトリガ２０の方向（＋ｘ方向である）に、配置したものである。一方で、弾丸検知装置３００における検知押し出し部３１２は、その筐体１６の外部に配置したスイッチ２０１を切断するために、弾丸の有無を検知しようとするものであるので、その検知押し出し部３１２は、弾丸配置部５０２に対し、トリガ２０の位置とは反対の位置（−ｘ方向である）に配置されている。
【００３５】
なお、弾丸検知装置３００の機能を停止させるために、カラ撃ち防止機能停止装置３６０を有している。これは、検知回転部３１０における検知被係合部３１１に配置された第２検知軸部３５０と、カラ撃ち防止機能停止装置３６０における機能停止係合部３６１と係合して、検知回転部３１０における検知押し出し部３１２を、弾倉部５００の外部にあまり突出させることなく、その弾倉部５００内にほぼ留めておくというものである。これにより後述のカラ撃ち防止装置２００の機能を停止することができるので、弾丸Ｇが、その弾丸配置部５０２から無くなってカラとなった状態であっても、いわゆるカラ撃ちをすることができる。これは、特にリコイルショックを具備する電動ガンの動作確認を、弾丸Ｇが弾倉部５００に充填されていない状態で行うことができるので安全に資するとともに、リコイルショックのみを体験したい使用者にとって好適である。
【００３６】
すなわち、図４の状態からカラ撃ち防止機能停止装置３６０を−ｘ方向にスライド移動させる。カラ撃ち防止機能停止装置３６０を−ｘ方向にスライド移動させた状態が図５Ａ、Ｂである。この状態において、カラ撃ち防止機能停止装置３６０における位置係合部３６５が、弾倉部５００における第１溝部５５１との係合から脱し、第２溝部５５２と係合する。このときにカラ撃ち防止機能停止装置３６０における機能停止係合部３６１が、検知回転部３１０における検知被係合部３１１に配置された第２検知軸部３５０と係合する。上記のとおり、検知回転部３１０は、カラ撃ち防止機能停止装置３６０によって、図５Ａのｘｙ平面上において、時計回りに押し下げられ、その検知被係合部３１１と一体の検知押し出し部３１２を弾倉本体部５０１の外部にあまり突出させることなく留まっている状態である。
【００３７】
このような状態において、弾丸Ｇを打ちつくし、弾丸配置部５０２から弾丸Ｇがなくなった場合に、上述のとおり、フォロワー部５１０が上昇し、そのフォロワー部５１０における第１フォロワー５１１に配置されている検知係合部３０１が、検知回転部３１０における検知被係合部３１１と係合するものの、その検知回転部３１０における上記回転（図５Ａにおいては反時計回りの回転）が、カラ撃ち防止機能停止装置３６０によって阻止され、検知回転部３１０における検知押し出し部３１２を、弾倉部５００の外部にあまり突出させることなく、その弾倉部５００における弾倉本体部５０１内にほぼ留めておくというものである。この場合において、開口部５０３から、第３フォロワー５１３の上端部５１３ａが突出せず、その開口部５０３内にその上端部５１３ａが留まっている状態である。
【００３８】
また、図５Ａ、Ｂの状態からカラ撃ち防止機能停止装置３６０を+ｘ方向にスライド移動させる。カラ撃ち防止機能停止装置３６０を+ｘ方向にスライド移動させると、カラ撃ち防止機能停止装置３６０における位置係合部３６５が、弾倉部５００における第２溝部５５２から外れて第１溝部５５１と係合する。このときにカラ撃ち防止機能停止装置３６０における機能停止係合部３６１が、検知回転部３１０における検知被係合部３１１に配置された第２検知軸部３５０との係合を脱する。このように、カラ撃ち防止機能停止装置３６０を移動させることで、カラ撃ち防止機能停止装置３６０における機能停止係合部３６１が、検知回転部３１０における検知被係合部３１１と係脱可能に配置されているのである。また、カラ撃ち防止機能停止装置３６０は、溝部３６６を有する。これにより、位置係合部３６５が復元可能に弾性変形するために、その位置係合部３６５が第１溝部５５１および、第２溝部５５２と係合すること、または、それらから脱するのに好適である（図４、図５Ａ、Ｂ参照）。
【００３９】
なお、図５Ｂにおいて、第２検知軸部３５０は、図面手前側に突出する構成であり、カラ撃ち防止機能停止装置３６０における位置係合部３６５が、弾倉部５００における第１溝部５５１と係合したときは、弾丸検知装置３００の機能を停止することがなく、第２溝部５５２と係合したときは、弾丸検知装置３００の機能を停止するものである（図４、５Ａ、Ｂ参照）。
【００４０】
次に電動ガン１０におけるカラ撃ち防止装置２００について説明する。カラ撃ち防止装置２００は、上記のとおり、筐体１６の外部にスイッチ２０１を設け、弾倉部５００の弾丸Ｇがカラになったときに、いわゆるカラ撃ちを防止するために、後述する通電停止部２０２が、このスイッチ２０１の接触を切断するという構成である。従って、上述の検知押し出し部３１２が突出したことを受けて、通電停止部２０２を作動させてこのスイッチ２０１の接触を切断する（通電しないこと）という構成である。
【００４１】
通電停止部２０２は、検知押し出し部３１２が、弾倉部５００から突出した動作を受けるための、検知受け部２１０と、ピストン３０の動きに連動するピストン連動部２５０と、スイッチ２０１の接点を引き離すためのスイッチ切断部２７０とを有するものである（図６参照）。検知受け部２１０は、第１検知受け部２１１と第２検知受け部２１２とを有し、検知押し出し部３１２の−ｘ方向に移動する動作を受けるものであり、第１検知受け部２１１は、検知押し出し部３１２の−ｘ方向に移動する動作を受けて、−ｘ方向に移動するものである（図６、７Ａ、Ｂ参照）。
【００４２】
第２検知受け部２１２は、回転可能に軸部２１３によって軸止されている。第２検知受け部２１２における突起部２１２ａは、検知押し出し部３１２の先端部３１２ａの押圧を受けた第１検知受け部２１１の先端部分２１１ａによってさらに押圧される。底面図である図８Ａ、Ｂによれば、その第２検知受け部２１２はｘｚ平面上において、時計回りに回転する。これにより、第２検知受け部２１２における他端部２１２ｂもｘｚ平面上に時計回りに回転することで、その他端部２１２ｂが、−ｘ方向から＋ｘ方向に往復運動するリコイルプレート６１の軌道に突出する。すなわち、ピストン３０が−ｘ方向から＋ｘ方向に往復運動することで、これと連動するピストン連動部２５０におけるリコイルプレート６１も−ｘ方向から＋Ｘ方向に往復運動する。また、上記のとおりその他端部２１２ｂがその往復運動する軌道に突出する。すなわち、図８Ａ、Ｂにおいて第１検知受け部２１１に押圧されることで、第２検知受け部２１２は、他端部２１２ｂを図面上方にした、いわゆる屹立した状態を呈しており、その他端部２１２ｂがリコイルプレート６１の往復運動（−ｘ方向と＋ｘ方向）する軌道に突出している。
【００４３】
図９は、図８Ａ、Ｂの状態において電動ガン１０の銃口を右方に向けた状態の拡大側面図である。この状態において後述するスイッチ切断部２７０におけるストッププレート２８０は、スイッチレバー２９０と係合していない状態である。
【００４４】
その状態において、いまだピストン３０は往復運動しているので、図８Ａ、Ｂにおいて屹立した状態の第２検知受け部２１２における他端部２１２ｂは、その後図１０Ａ、Ｂにおいて、ピストン連動部２５０におけるリコイルプレート６１と係合する。上記のとおりそのリコイルプレート６１は、−ｘ方向から＋ｘ方向に往復運動しているので、第２検知受け部２１２は、そのリコイルプレート６１と係合し、第２検知受け部２１２における他端部２１２ｂは、さらにｘｚ平面上において、時計回りに回転するように作動する。すなわちいまだ通電が切断されていないために、モータ２２が回転し、ピストン３０が往復運動を続けている状態であるが、そのピストン３０の往復運動に追従するピストン連動部２５０によって、第２検知受け部２１２における他端部２１２ｂが、さらにｘｚ平面上において、時計回りに回転する。なお、バネ２１４は、第２検知受け部２１２を反時計回りに付勢している（図１０Ａ、Ｂ参照）。
【００４５】
これによって、第２検知受け部２１２における一端部２１２ｃもさらにｘｚ平面上において、時計回りに回転する。さらに時計回りに回転した検知受け部２１０における第２検知受け部２１２の一端部２１２ｃは、スイッチ切断部２７０と係合してそのスイッチ切断部２７０を作動させる。また、そのスイッチ切断部２７０の作動により、そのスイッチ切断部２７０が、スイッチ２０１の接触を絶つ、すなわち、スイッチ２０１を切断するものである（図８Ａ、図９、図１０Ａ、Ｂ参照）。
【００４６】
これをさらに説明すると、まず、スイッチ切断部２７０は、ラッチ２７１とストッププレート２８０と、スイッチレバー２９０を有するものである。また、ラッチバネ２７２は、ラッチ２７１を時計回りに付勢している。このような構成で、第２検知受け部２１２における一端部２１２ｃは、スイッチ切断部２７０におけるラッチ２７１と係合し、その一端部２１２ｃは、ラッチバネ２７２の時計回りの付勢力に反して、ラッチ２７１を反時計回りに回転させる（図８Ａ、図９、図１０Ａ、Ｂ、図１１参照）。
【００４７】
ラッチ２７１はラッチ凸部２７１ａを有し、そのラッチ凸部２７１ａと係合しているストッププレート２８０は、ストッププレートバネ２８１によって、−ｘ方向に付勢されている。よって、ラッチ２７１を反時計回りに回転させたことで、そのラッチ２７１におけるラッチ凸部２７１ａとの係合が解かれたストッププレート２８０は、−ｘ方向に移動する。図１１は、図１０Ａ、Ｂの状態において、電動ガン１０の銃口を右方に向けた状態の側面図である。図９と図１１とを対比することによって、ストッププレート２８０は、−ｘ方向に移動していることが理解できる。
【００４８】
ストッププレート２８０が、−ｘ方向に移動することによって、スイッチレバー２９０におけるスイッチレバー一端部２９１を押し下げ、スイッチレバー他端部２９２を、スイッチレバー軸部２９３を軸にして＋ｙ方向に引き上げる。そのときに、スイッチレバー軸部２９３に取り付けられた凸部２９４が回転し、スイッチ２０１における第１接点部２０１ａを持ち上げ、スイッチ２０１における第２接点部２０１ｂとの接触を断つ。これにより、モータ２２への通電が阻止され、カラ撃ちを防止することができる（図１１参照）。すなわち、検知受け部２１０が、スイッチ切断部２７０を作動させて、そのスイッチ切断部２７０がスイッチ２０１を切断するというものである。なお、スイッチレバー２９０は、スイッチレバー一端部２９１と、スイッチレバー他端部２９２とを有しそれらの挟角である頂角が鈍角のほぼ２等辺三角形状を呈している。なお、スイッチレバーバネ２９０ａは、スイッチレバー２９０を図１１において反時計回りに付勢している。これにより、弾丸Ｇが弾倉部５００内に配置されている状態または、カラ撃ち防止機能停止装置３６０が機能している場合において、そのスイッチ２０１における第１接点部２０１ａを押し下げ、スイッチ２０１における第２接点部２０１ｂとの接触を確実なものとしている。
【００４９】
このように従来であれば専用の電動ガンにおける機械式通電停止装置を設置したメカボックスを使う必要があったが、カラ撃ち防止装置をいわゆるメカボックスから独立したものとして設置することができるので、電動ガンの外形を問わずスペースのある部分にこの装置を設置することで既存のメカボックスを使用することができる。よって、弾丸Ｇが撃ち終わって、弾倉内の弾丸Ｇが、カラになった状態において、使用者がトリガ２０を引き続けていたとしても、いわゆるカラ撃ちを防止する効果を奏することができる。なお、弾倉部を有しない電動ガンにおいては、その電動ガンの本体に、弾丸検知装置と同様の構成を有することで、カラ撃ちを防止する効果を奏することができる。
【００５０】
なお、この状態のままでは、ストッププレート２８０と、スイッチレバー２９０との上記の作用によって、スイッチ２０１における第１接点部２０１ａを持ち上げ、スイッチ２０１における第２接点部２０１ｂとの接触が断たれた状態である（図１１参照）。従って、スイッチ２０１における第１接点部２０１ａと、第２接点部２０１ｂとを再び接触させるために、ボルト部２９５を、＋ｘ方向に引く。図示しない使用者が、ボルト部２９５を引いて、一定のストロークを経てそのボルト部２９５はストッププレート２８０と係合する。ボルト部２９５と係合したストッププレート２８０は、ストッププレートバネ２８１によって、−ｘ方向に付勢されているために、この付勢力に抗してボルト部２９５を、＋ｘ方向に引くことになる（図１２参照）。
【００５１】
図１３は、図１２の状態において銃口を左方向に向けた状態の拡大底面図である。なお、あらかじめ弾丸Ｇを充填した弾倉部５００を電動ガン１０にセットし、上記のとおりボルト２９５を＋ｘ方向に引くと、ストッププレート２８０も、＋ｘ方向に移動し、再びラッチ２７１と係合し、ストッププレートバネ２８１に抗して、その位置にそのストッププレート２８０は、留まる。スイッチ２０１における第１接点部２０１ａを押し下げ、スイッチ２０１における第２接点部２０１ｂと接触する（図１２、１３参照）。その後トリガ２０を引けば、再び弾丸Ｇを発射することができる。なお、本実施例においては、リコイルショック発生機構５０を具備するものであるが、この機構を有しない場合であっても、そのピストン３０の往復運動に追従するピストン連動部２５０を配置するか、ピストン３０そのものを、ピストン連動部２５０として、実施することも可能である。
【符号の説明】
【００５２】
１０  電動ガン
１５  機関部
１６  筐体
２０  トリガ
２１  第１接点
２２  モータ
２３  モータギア
２４  ベベルギア
２５  ギア
２６  セクタギア
３０  ピストン
３１  ラック部
３２  スプリング
５０  リコイルショック発生機構
５１  ピストン係合部
５２  リコイルウエイト
５３  リコイルスプリング
５４  先端部
６０  リコイルバー
６１  リコイルプレート
２００  カラ撃ち防止装置
２０１  スイッチ
２０２  通電停止部
２５０  ピストン連動部
２７０  スイッチ切断部
３００  弾丸検知装置
３１２  検知押し出し部
５００  弾倉部
Ｇ  弾丸
【図１】
2019058525.tif 000003
【図２】
2019058525.tif 000004
【図３】
2019058525.tif 000005
【図４】
2019058525.tif 000006
【図５Ａ】
2019058525.tif 000007
【図５Ｂ】
2019058525.tif 000008
【図６】
2019058525.tif 000009
【図７Ａ】
2019058525.tif 000010
【図７Ｂ】
2019058525.tif 000011
【図８Ａ】
2019058525.tif 000012
【図８Ｂ】
2019058525.tif 000013
【図９】
2019058525.tif 000014
【図１０Ａ】
2019058525.tif 000015
【図１０Ｂ】
2019058525.tif 000016
【図１１】
2019058525.tif 000017
【図１２】
2019058525.tif 000018
【図１３】
2019058525.tif 000019
【国際調査報告】
2019058525.tif 000020
2019058525.tif 000021
2019058525.tif 000022